【事件の表示】
　平成１１年特許願第２１６７８３号「ディスクドライブ装置」拒絶査定不服審判事件〔平成１３年　２月１６日出願公開、特開２００１−　４３６０８〕について、次のとおり審決する。
【結　論】
　本件審判の請求は、成り立たない。
【理　由】
１．手続の経緯の概要
　
　本願は、平成１１年７月３０日の出願であって、平成１４年７月２３日付け拒絶理由通知に対して、平成１４年９月１８日に意見書及び手続補正書が提出されたが、平成１４年１０月３１日付けで拒絶の査定がされ、これに対し、平成１４年１１月２５日に拒絶査定不服の審判が請求されるとともに明細書について手続補正が提出されたものである。
　
　
２．平成１４年１１月２５日付けの手続補正についての補正却下の決定
　
〔補正却下の決定の結論〕
　平成１４年１１月２５日付けの手続補正（以下、「本件手続補正」という。）を却下する。
　
〔理　由〕
（１）本件手続補正前及び本件手続補正による本願発明
　本件手続補正は、特許請求の範囲及び発明の詳細な説明についてするもので、特許請求の範囲については、請求項１及び２を、本件手続補正前には、
　
「【請求項１】大径、小径のディスクをディスクの径方向に水平に搬送する搬送手段と、搬送される前記大径のディスクにより回動し、搬送される前記小径のディスクでは回動しない回動部と、該回動部の前記回動／非回動動作により前記大径のディスクと前記小径のディスクを同心位置に停止させるストッパ部と、該回動部の前記回動／非回動動作によりディスクの大径、小径を判別するディスク判別信号を出力するスイッチ部を備えたことを特徴とするディスクドライブ装置。
　【請求項２】　前記スイッチ部のディスクの大径、小径を判別するディスク判別信号は、前記大径、小径のディスクが前記同心位置に停止されたことを検出する検出信号を兼ねることを特徴とする請求項１に記載のディスクドライブ装置。」
　
とあったものを、
　
「【請求項１】大径、小径のディスクをディスクの径方向に水平に搬送する搬送手段と、搬送される前記大径のディスクにより回動し、搬送される前記小径のディスクでは回動しない回動部と、該回動部の前記回動／非回動動作により前記大径のディスクと前記小径のディスクを同心位置に停止させるストッパ部と、前記搬送手段で搬送されたディスクを回転させるモータと、前記回動部の前記回動／非回動動作により前記大径、小径のディスクを判別するディスク判別信号を出力するスイッチ部と、該スイッチ部の出力に基づいて前記モータのゲインを切り替える切り替え手段とを備えたことを特徴とするディスクドライブ装置。
　【請求項２】　前記スイッチ部のディスクの大径、小径を判断するディスク判別信号は、前記大径、小径のディスクが前記同心位置に停止されたことを検出する検出信号とを兼ねることを特徴とする請求項１に記載のディスクドライブ装置。」
　
と補正しようとするものである。
　
（２）補正の目的の適否の検討
　すると、本件手続補正による請求項１及び２は、それぞれ本件手続補正前の請求項１及び２に対応するものとすることができ、本件手続補正は、軽微な表現上の修正を除き、概略本件手続補正前の請求項１に、
　「前記搬送手段で搬送されたディスクを回転させるモータ」及び
　「該スイッチ部の出力に基づいて前記モータのゲインを切り替える切り替え手段」
の各技術事項を加えることで減縮したものとすることができる。
　しかしながら、本件手続補正前の請求項１には、「モータ」に対応する技術事項は含まれておらず、したがって当該モータの「ゲインを切り替える切り替え手段」に対応する技術事項も含まれていない。
　すなわち、前記加えられた各技術事項は、いずれも、本件手続補正前の請求項１に記載された技術事項のいずれかを限定したものとすることができない。
　したがって、本件手続補正は、発明を特定するために必要な事項を限定することで特許請求の範囲を減縮することを目的とするものとすることができない。
　また、本件手続補正が、請求項の削除、誤記の訂正、明瞭でない記載の釈明のいずれにも当たらないことは明らかである。
　
（３）本件手続補正についてのむすび
　以上のとおりであるから、本件手続補正は、特許法第１７条の２第４項の規定に違反するものであって、特許法第１５９条第１項において読み替えて準用する同法第５３条第１項の規定により却下すべきものである。
　
　
３．本願発明について
（１）本願発明
　平成１４年１１月２５日付けの手続補正は上記のとおり却下されたので、本願の請求項１及び２に係る発明は、平成１４年９月１８日付け手続補正書により補正された明細書の、特許請求の範囲の請求項１及び２に記載されたとおりのものであるところ、請求項１に係る発明は、上記２．〔理由〕（１）に本件手続補正前の請求項１として掲げたとおりのもの（以下、「本願発明」という）である。
　
（２）引用発明
　原査定の拒絶の理由に引用された、本願出願前に頒布された刊行物である特開平１０−３７２３号公報（以下、「引用例」という）には、図面とともに以下の技術事項が記載されている。
　
（ａ）
「【０００１】
【発明の属する技術分野】本発明は新規な円盤状記録媒体再生及び／又は記録装置における円盤状記録媒体の位置決め装置及び円盤状記録媒体の位置決め方法に関する。詳しくは、円盤状記録媒体再生及び／又は記録装置を横置きのみならず縦置きでも使用することができるようにするための技術に関する。」
（ｂ）直径８ｃｍＣＤ４６ａをローディングする場合について、初期状態が図１、図２であるとして次のように記載されている。
「【００４２】８ｃｍＣＤ４６ａを図示しない筐体の前面開口部から筐体内に挿入して行くと、図示しないセンサによって円盤状記録媒体が筐体内に挿入されたことが検知されて、それによって引込みローラ５が引込み方向に、即ち、図６における時計回り方向に回転を始め、そして、８ｃｍＣＤ４６ａはディスクガイド４と引込みローラ５との間に引き込まれる。そして、該８ｃｍＣＤ４６ａはディスクガイド４と引込みローラ５との間に挟持された状態で引込みローラ５によって奥の方へと送られて行く。この時、引込みローラ５はその中央部が細径で両端に行くに従って徐々に径が太くなるように形成されているので、８ｃｍＣＤ４６ａの信号読取面、即ち、図において下方を向いた面はその周縁部のみが引込みローラ５に触れ、信号読取面が直に引込みローラ５に触れることはない。
【００４３】８ｃｍＣＤ４６ａが奥へ引き込まれて行くと、やがてその外周縁がセンタリングレバー１４、１４′のガイドピン１９、１９′に当接し、その位置が規定、即ち、センタリングされる。即ち、センタリングレバー１４、１４′はそれに支持されたロックレバー２０、２０′のロックピン２１、２１′が係合切欠２５、２５′と係合してロックされていることにより、その位置が移動されないようにされており、従って、８ｃｍＣＤ４６ａの外周縁がガイドピン１９、１９′のどちらか一方のものに当接した場合でも、該８ｃｍＣＤ４６ａが引込みローラ５によって奥へ送られるに従って他方のガイドピンの側へ変位されて行き、ついには、両方のガイドピン１９、１９′と当接し、センタリングが為される。
【００４４】このセンタリングが為される過程において、８ｃｍＣＤ４６ａの外周縁がセンサレバー２６のセンサピン２６ａを後方へ押圧し、これによって、該センサレバー２６は上方から見て時計回り方向へ回動し、その連結ピン２６ｂがセンサスライダー２７の連結切欠２７ａの前縁を前方へ押圧するので、センサスライダー２７が前方へ移動されることになる。そして、８ｃｍＣＤ４６ａがその外周縁が２つのガイドピン１９、１９′に完全に接触した状態、即ち、８ｃｍＣＤ４６ａが左右方向において位置決めされた状態になる前に、センサスライダー２７のホトインタラプタ２９に対する相対的位置関係が図３に２点鎖線で示した状態となり、この時点から８ｃｍＣＤ４６ａの外周縁が２つのガイドピン１９、１９′に完全に当接するのに十分な時間引込みローラ５を回転させた後、引込みローラ５を逆転させる。これによって、８ｃｍＣＤ４６ａは戻されるが、再びセンサスライダー２７のホトインタラプタ２９に対する相対的位置関係が図３に２点鎖線で示した状態になった時に引込みローラ５の回転を停止する。この時の８ｃｍＣＤ４６ａの位置が図３に２点鎖線で示す位置であり、その中心が上記チャッキング部材３０の中心と一致した状態となっている。なお、センサスライダー２７のホトインタラプタ２９に対する相対的位置関係が最初に図３に２点鎖線で示した状態となった時に引込みローラ５を停止させないのは、この時点では８ｃｍＣＤ４６ａが左右何れかに偏っていることがあり得、それでは、８ｃｍＣＤ４６ａの中心がチャッキング部材３０の中心とずれていることが有り得るからである。」
　
（ｃ）同様に、直径１２ｃｍＣＤ４６ｂをローディングする場合について次のように記載されている。
「【００５７】１２ｃｍＣＤ４６ｂを図示しない筐体の前面開口部から筐体内に挿入して行くと、図示しないセンサによって円盤状記録媒体が筐体内に挿入されたことが検知されて、それによって引込みローラ５が引込み方向に、即ち、図６における時計回り方向に回転を始め、そして、１２ｃｍＣＤ４６ｂはディスクガイド４と引込みローラ５との間に引き込まれる。そして、該１２ｃｍＣＤ４６ｂはディスクガイド４と引込みローラ５との間に挟持された状態で引込みローラ５によって奥の方へと送られて行く。この時、引込みローラ５はその中央部が細径で両端に行くに従って徐々に径が太くなるように形成されているので、１２ｃｍＣＤ４６ｂの信号読取面、即ち、図において下方を向いた面はその周縁部のみが引込みローラ５に触れ、信号読取面が直に引込みローラ５に触れることがないことは上記８ｃｍＣＤ４６ａの場合と同様である。
【００５８】１２ｃｍＣＤ４６ｂが奥へ引き込まれて行くと、やがてその外周縁がセンタリングレバー１４、１４′のガイドピン１９、１９′に当接し、その位置が規定、即ち、センタリングされる。
【００５９】即ち、１２ｃｍＣＤ４６ｂが奥へ引き込まれて行くと、先ず、その外周縁がロックレバー２０、２０′の解除ピン２２、２２′に当接し、且つ、これを後方へ押圧するので、該ロックレバー２０、２０′はそれぞれ、そのロックピン２１、２１′が支持された部分が後方へ移動するように回動され、ロックピン２１、２１′が天板１５の係合切欠２５、２５′との係合から外れ、これによりセンタリングレバー１４、１４′がその外端が後方へ移動する方向に回動することが出来るようになる。
【００６０】尚、１２ｃｍＣＤ４６ｂが左右どちらかに偏った状態で引き込まれてきた場合、例えば、右側に偏った状態で引き込まれてきた場合は、その外周縁が、先ず、右側のロックレバー２０の解除ピン２２を押圧して右側のセンタリングレバー１４のロックを解除し、それから右側のガイドピン１９に当接される。この状態で、まだ左側のセンタリングレバー１４′はロックされていて右側のセンタリングレバー１４も後方へは回動することが出来ないため、１２ｃｍＣＤ４６ｂはその外周縁が右側のガイドピン１９に当接した状態で奥へ送られると、左方へと変位していき、やがてその外周縁が左側のロックレバー２０′の解除ピン２２′をも後方へ押圧して左側のセンタリングレバー１４′のロックを解除し、また、左側のガイドピン１９′にも当接することになる。
【００６１】このように、１２ｃｍＣＤ４６ｂはその外周縁が２つのガイドピン１９、１９′に当接することにより左右方向においてセンタリングされる。そこから更に１２ｃｍＣＤ４６ｂがガイドピン１９、１９′を奥へと押し込みながら奥へと送られると、やがてその外周縁がセンサレバー２６のセンサピン２６ａに当接してこれを後方へ向けて押圧し、これによって、該センサレバー２６は上方から見て時計回り方向へ回動し、その連結ピン２６ｂがセンサスライダー２７の連結切欠２７ａの前縁を前方へ押圧するので、センサスライダー２７が前方へ移動されることになる。そして、やがてセンサスライダー２７のホトインタラプタ２９に対する相対的位置関係が図４に示した状態となり、この時点から一定の時間引込みローラ５を回転させた後、引込みローラ５を逆転させる。これによって、１２ｃｍＣＤ４６ｂは戻されるが、再びセンサスライダー２７のホトインタラプタ２９に対する相対的位置関係が図４に示した状態になった時に引込みローラ５の回転を停止する。この時の１２ｃｍＣＤ４６ｂの位置が図４及び図５に示す位置であり、その中心が上記チャッキング部材３０の中心と一致した状態となっている。なお、センサスライダー２７のホトインタラプタ２９に対する相対的位置関係が最初に図４に示した状態となった時に引込みローラ５を停止させないのは、上記８ｃｍＣＤ４６ａについて説明したのと同様に、１２ｃｍＣＤ４６ｂが確実にセンタリングされるようにするためである。」
　
　摘記した引用例記載事項及び図面の記載事項を総合勘案すると、引用例には、結局、次の発明が記載されている（以下、「引用発明」という）。
　
「８ｃｍＣＤ４６ａ、１２ｃｍＣＤ４６ｂを筐体の前面開口部から筐体内に挿入して行くと、引込みローラ５が引込み方向に回転を始め、そして、８ｃｍＣＤ４６ａ、１２ｃｍＣＤ４６ｂはディスクガイド４と引込みローラ５との間に引き込まれ、該８ｃｍＣＤ４６ａ、１２ｃｍＣＤ４６ｂはディスクガイド４と引込みローラ５との間に挟持された状態で引込みローラ５によって奥の方へと送られて行き、
　８ｃｍＣＤ４６ａが引き込まれた際には、その位置が移動されないようにされており、１２ｃｍＣＤ４６ｂが引き込まれた際には、その外端が後方へ移動するように回動するセンタリングレバー１４，１４’と、
　８ｃｍＣＤ４６ａ、１２ｃｍＣＤ４６ｂの外周端が当接し、その位置を規定、即ち、センタリングするセンタリングレバー１４，１４’のガイドピン１９，１９’と、
　を備えた円盤状記録媒体再生及び／又は記録装置」
　
（３）対比
　本願発明を、引用発明と比較すると、引用発明における「円盤状記録媒体再生及び／又は記録装置」は、本願発明における「ディスクドライブ装置」に相当する。
　引用発明の「ディスクガイド４と引込みローラ５」は、本願発明における「搬送手段」に相当する。
　引用発明の「センタリングレバー１４，１４’」は、本願発明における「回動部」に相当する。
　引用発明の「ガイドピン１９，１９’」は、本願発明における「ストッパ部」に相当する。
　
　すると、本願発明と、引用発明とは、次の点で一致する。
＜一致点＞
　大径、小径のディスクをディスクの径方向に水平に搬送する搬送手段と、搬送される前記大径のディスクにより回動し、搬送される前記小径のディスクでは回動しない回動部と、該回動部の前記回動／非回動動作により前記大径のディスクと前記小径のディスクを同心位置に停止させるストッパ部を備えたディスクドライブ装置。
　
　一方で、以下の点で相違する。
＜相違点＞
　本願発明では、「回動部の前記回動／非回動動作によりディスクの大径、小径を判別するディスク判別信号を出力するスイッチ部」を備えているのに対し、引用発明ではそのようなスイッチ部を備えていない点。
　
（４）判断
　上記相違点について検討する。
　大径、小径のディスクを使用するディスクドライブ装置においては、当該ディスクの径を判別することが技術課題として広く知られている。引用発明の、センタリングレバー１４，１４’は、挿入されたディスクの径によってその位置が異なるのであるから、逆に、その位置がディスク径を表すことは当業者にとって自明な技術事項である。
　また、このような部材の位置によりディスクの径を判別する信号を出力するスイッチを設けることは周知であり、例えば、特開平１−２７９４５５号公報には、「また、上記実施例では、小径のディスク（Ｓ）が装填されているときと大径のディスク（Ｌ）が装填されているときとで、一対のアーム３１，３２およびレバー４１，４４の停止位置が相違している。よってこれらの部材がいずれか一方にあることをスイッチなどによって検知すれば、装填されているディスクの種別を認識することが可能である。このスイッチなどの認識によって種々の制御が可能となる。例えば、図１に示すディスプレイ１３にディスクの種別を「シングル」，「SINGLE」 または「ノーマル」，「NORMAL」などと標示することができる。あるいはディスプレイ１３に長い線あるいは短い線を表示し、この線の長さによってディスクの径を識別することもできる。またはＬＥＤの点灯によってディスクの種別を表示することも可能である。」（７頁左下欄第１８行〜同頁右下欄第１３行）と記載され、一対のアーム３１，３２およびレバー４１，４４によりディスク判別するスイッチを備えることができることが示されている。
　また、特開平１０−１６２４６６号公報には、第４０段落に「しかしてフレーム板１１との間にディスクＤを挟んだローラ２３はローディングモータ２１により正転駆動されており、このローラ２３の回転に伴ってディスクＤは徐々に装置本体の内側に向けて移動される。そしてディスクＤが開口部３から所定量だけ内側に引き込まれると、引き込まれたディスクＤの縁部に押されて作動レバー１２が更に回動し、その回動によって第２のスイッチＳＷ２がオン[Ｌ]となる。この第２のスイッチＳＷ２のオン動作により、大径のディスクＤが挿入されたことが確認される。ちなみに８ｃｍ径の、所謂小径ディスクが挿入された場合、そのディスクＤの縁部に押されて回動する作動レバー１２が最大回動位置まで回動することがないので、この場合には第２のスイッチＳＷ２がオン動作することはない。従ってローディング動作時に第２のスイッチＳＷ２がオン動作するか否かにより大径ディスクがローディングされたか否かの判定が行われることになる。」と記載され、作動レバーの回動位置により１２ｃｍ、８ｃｍのディスクの判別をするスイッチを設けることが示されている。
　また、特開平１１−１６２６１号公報にも、「８ｃｍのコンパクトディスクＣ１の外周が検出アーム１２３のピン１２３ａに届かない（第４３段落）」ように構成して、ロック解除ればー１２４，スライドアーム１２５を介してコンパクトディスクの径を検出する、大径のコンパクトディスク・検出スイッチ（１２ｃｍＣＤスイッチ）１２６，及びコンパクトディスク・検出スイッチ（ＭＤ／８ｃｍＣＤスイッチ）１３４を設けることが示されている（特に第３７段落〜第４３段落参照）。
　
　以上のことからすると、引用発明において、センタリングレバー１４，１４’により８ｃｍＣＤ４６ａと１２ｃｍＣＤ４６ｂを判別する信号を出力するスイッチを設けることで、相違点について本願発明のようにすることは、上記自明な技術事項から当業者が容易に想到しうるものであるか、または、周知事項を参酌することにより当業者が容易に想到しうるものである。
　作用効果についても、当業者が予測しうる程度の事項にすぎない。
　
（４）本願発明についてのむすび
　以上のとおり、本願の請求項１に係る発明は、特許法第２９条第２項の規定により特許を受けることができないものであるから、その余の請求項について論及するまでもなく、本願は拒絶すべきものである。
　
　よって、結論のとおり審決する。